(57)【要約】【課題】ハウスを使用しないで、炭酸ガスを利用して植物の成長促進をはかる。【解決手段】  植物の葉の表面の一部または全体を覆うように、水溶液により形成した炭酸ガスを含む多数の気泡を付着させる。この炭酸ガスを封入した気泡が植物の葉の表面に長時間付着した状態にする。これにより、植物の葉の光合成を促進できる。気泡が透明体であれば、太陽光が葉に十分に照射され、光合成を活発にする。水溶液に植物性の界面活性剤を含めると、多数の安定な気泡を発生させやすい。また、水溶液に、植物育成用の肥料を含めることもできる。【選択図】図１
2016140337.tif 000002
【特許請求の範囲】
【請求項１】
植物の葉の表面の一部または全部を覆うように、水溶液により形成した炭酸ガスを含む多数の気泡を付着させることを特徴とする植物の育成方法。
【請求項２】
気泡は透明体であることを特徴とする請求項１に記載の植物の育成方法。
【請求項３】
水溶液は、気泡を発生させるために植物性の界面活性剤を含むことを特徴とする請求項１または２に記載の植物の育成方法。
【請求項４】
水溶液は、植物育成用の肥料を含むことを特徴とする請求項１乃至３のいずれかに記載の植物の育成方法。
【請求項５】
気泡を植物の葉に静電気力を用いて付着させることを特徴とする請求項１乃至４のいずれかに記載の植物の育成方法。
【請求項６】
ダニ類の発生する箇所を包囲するように、気泡を植物に付着させることを特徴とする請求項１乃至５のいずれかに記載の植物の育成方法。
【発明の詳細な説明】
【技術分野】
【０００１】
本発明は、植物の同化作用を促進するための植物の育成方法に関する。
【背景技術】
【０００２】
温室栽培では、ビニルハウスの内部に炭酸ガスを混入して植物の生育を促進し収穫量を増やす技術が紹介されている（特許文献１）。
【先行技術文献】
【特許文献】
【０００３】
【特許文献１】特開２０１４−７９８１号公報
【発明の概要】
【発明が解決しようとする課題】
【０００４】
既知の従来の技術は、ハウス栽培専用のもので、屋外で採用することはできない。
上記の課題を解決するために、本発明はハウスを使用しないで、炭酸ガスを利用して植物の成長促進をはかることができる植物の育成方法を提供することを目的とする。
【課題を解決するための手段】
【０００５】
以下の構成はそれぞれ上記の課題を解決するための手段である。
【０００６】
＜構成１＞
植物の葉の表面の一部または全部を覆うように、水溶液により形成した炭酸ガスを含む多数の気泡を付着させることを特徴とする植物の育成方法。
【０００７】
＜構成２＞
気泡は透明体であることを特徴とする構成１に記載の植物の育成方法。
【０００８】
＜構成３＞
水溶液は、気泡を発生させるために植物性の界面活性剤を含むことを特徴とする構成１または２に記載の植物の育成方法。
【０００９】
＜構成４＞
水溶液は、植物育成用の肥料を含むことを特徴とする構成１乃至３のいずれかに記載の植物の育成方法。
【００１０】
＜構成５＞
気泡を植物の葉に静電気力を用いて付着させることを特徴とする構成１乃至４のいずれかに記載の植物の育成方法。
【００１１】
＜構成６＞
ダニ類の発生する箇所を包囲するように、気泡を植物に付着させることを特徴とする構成１乃至５のいずれかに記載の植物の育成方法。
【発明の効果】
【００１２】
気泡に炭酸ガスが混入されていて、植物の葉の表面に付着した状態がある程度の時間保たれれば、葉の光合成が促進される。さらにダニ等の害虫も駆除できる。
【図面の簡単な説明】
【００１３】
【図１】本発明の実施例を示す、気泡を付着させた植物の葉の斜視図である。
【図２】（ａ）は気泡発生装置の一部切断側面図、（ｂ）は（ａ）のＡ−Ａ断面図である。
【発明を実施するための形態】
【００１４】
以下、本発明の実施の形態を実施例毎に詳細に説明する。
【実施例１】
【００１５】
図１は本発明の実施例を示す、気泡を付着させた植物の葉の斜視図である。図２は気泡発生装置の説明図である。
図１の（ａ）〜（ｃ）に示すように、植物の葉１２の表面の一部または全体を覆うように、水溶液により形成した多数の気泡１４を付着させる。
【００１６】
水溶液には、安定した気泡を得るために、例えば、植物性の界面活性剤を混入しておく。例えば、気泡１４を植物の葉１２に静電気力を用いて付着させてもよい。
【００１７】
気泡に炭酸ガスを封入すると、植物の葉の光合成を促進できる。無色透明の多数の気泡で植物の葉の表面全体を覆うようにすると、植物の葉の光合成を妨げない。
【００１８】
気泡はできるだけ長時間その状態を維持できるものであることが好ましい。気泡を形成するための水溶液は、植物に対して無害であることが好ましい。植物性の界面活性剤はこの条件を満たす。水溶液に植物の肥料や農薬を加えて散布してもよい。
【００１９】
図２の（ａ）は気泡発生装置の一部切断側面図、（ｂ）は（ａ）のＡ−Ａ断面図である。
図のように、この装置は、例えば、台車１６に搭載されており、畦道や果樹園内を人力で移動させることができる。台車１６は水槽のように構成されており、養液２８が満たされている。この養液２８は、植物性の界面活性剤と植物の肥料や農薬を加えた水溶液である。
【００２０】
養液２８中に沈み込むように、駆動ローラ１８が設置されている。駆動ローラ１８は、その上に乗せた円筒２０を回転駆動するように構成されている。円筒２０の下部は養液２８中に沈んでいる。
【００２１】
円筒２０の側方にはガスボンベ２６が配置され、ノズル２４中に炭酸ガスを供給するように構成されている。ノズル２４は炭酸ガスを吹き出すための透孔あるいはスリットを有する。ノズル２４は回転する円筒２０の内面上部に十分接近させて、上方に炭酸ガスを吹き出すように配置されている。円筒２０にはその壁面に多数の通気口２２が設けられている。
【００２２】
円筒２０が駆動ローラ１８により回転されると、その下部が養液２８をくぐり抜けるときに、多数の通気口２２に養液２８の膜が形成される。円筒２０の内面上部で、その膜の下側からノズル２４により炭酸ガスを吹き付けると、いわゆるしゃぼん玉の要領で気泡１４が発生して飛び上がる。気泡１４は風に流されて、植物の葉の上に落下し付着する。これにより、図１に示すように、気泡１４が葉１２の表面を覆う状態になる。
【００２３】
濃度の高い炭酸ガスの気泡を散布すれば、植物の葉に付着させて、光合成が促進され、作物の増収を図ることができる泡の中に、炭酸ガスを閉じ込めて、これを農場の植物に散布する。濃度の高い炭酸ガスを含む気泡が植物の葉面に付着すると、その葉から炭酸ガスが多く吸収される。気泡が消えた後も、炭酸ガスが溶け込んだ溶液が、光合成を促進する。
【００２４】
また、植物の葉や茎のダニの発生し易い部分を気泡で覆うことにより、植物に寄生するダニ類を駆除できる。従来、ダニ類を駆除するために薬剤を散布すると、翌年はその薬剤に対して耐性のあるダニが発生してしまうという問題があった。炭酸ガスを含む気泡で植物を覆うと、ダニのみならず呼吸をする寄生虫は薬剤を使用せずに駆除できるという効果がある。
【００２５】
なお、例えば、果実の花に霜が降りると、収穫量が減る恐れがある。炭酸ガスを含む気泡を噴霧すれば、霜の付着を防止して、果実の花を保護することができる。例えば、関東地方の場合、３月下旬から４月上旬にかけての明け方の冷え込みが問題になる。夕方に果実の花に散布しておいた気泡が翌朝まで保持できれば高い効果が期待できる。
【符号の説明】
【００２６】
１２  葉
１４  気泡
１６  台車
１８  駆動ローラ
２０  円筒
２２  通気口
２４  ノズル
２６  ガスボンベ
２８  養液
【図１】
2016140337.tif 000003
【図２】
2016140337.tif 000004